(57)【要約】【課題】  従来の水の浄水方法で得られる水は洗浄力が不十分となり、乾燥にも時間がかかる。【解決手段】  本発明の水活性浄化方法は、水をセラミックと接触させて活性化させる工程と、水に紫外線を照射して水中の雑菌を殺菌する工程を備えた方法である。水をセラミックにより活性化させる前に塩素やぬめりを除去する工程と、紫外線照射により殺菌させた水中の雑菌を捕捉する工程の一方又は双方を備えることもできる。前記方法の実施のための水通路内にセラミックを多数備えて水を活性化させるセラミックフィルタと、紫外線を照射可能なＵＶ灯を備え、紫外線を照射して水中の雑菌を殺菌するＵＶ装置と、前記セラミックフィルタ及びＵＶ装置を備える水活性浄化装置。また、塩素やぬめりを除去する除去フィルタ、殺菌した雑菌を捕捉する捕捉フィルタの一方又は双方を備えることもできる。逆浸透膜フィルタを備えたり、塵芥除去フィルタを備えたりすることもできる。【選択図】図１
2008049331.tif 000002
【特許請求の範囲】
【請求項１】
水を浄化し活性化する流水系路中に、水をセラミックと接触させて活性化させる活性化工程と、水に紫外線を照射して水中の雑菌を殺菌する紫外線殺菌工程を備えたことを特徴とする水活性浄化方法。
【請求項２】
請求項１記載の水活性浄化方法において、流水系路中の任意箇所に、塩素やぬめりを除去する除去工程と、紫外線殺菌工程で殺菌させた水中の雑菌を捕捉する捕捉工程の一方又は双方を備えたことを特徴とする水活性浄化方法。
【請求項３】
流水系路を流れる間に水を浄化し活性化する水活性浄化装置において、流水系路中に水を活性化させるセラミックフィルタと、水に紫外線を照射して水中の雑菌を殺菌するＵＶ装置が配置され、セラミックフィルタは容器内の通水路内にセラミックが多数収容され、ＵＶ装置は通水路と、通水路に向けて紫外線を照射して通水路を通過する水中の雑菌を殺菌するＵＶ灯を備えたことを特徴とする水活性浄化装置。
【請求項４】
請求項３記載の水活性浄化装置において、流水系路中のセラミックフィルタより手前に水中の塩素やぬめり等を除去する除去フィルタと、ＵＶ装置より後方にＵＶ装置の紫外線照射により殺菌させた水中の雑菌を捕捉する捕捉フィルタを備えたことを特徴とする水活性浄化装置。
【請求項５】
請求項４記載の水活性浄化装置において、除去フィルタを逆浸透膜フィルタとするか、又は除去フィルタに加えて流水系路中の任意箇所に逆浸透膜フィルタを備えたことを特徴とする水活性浄化装置。
【請求項６】
請求項４又は請求項５記載の水活性浄化装置において、流水経路中の除去フィルタより手前に水中の塵芥を除去する塵芥除去フィルタを備えたことを特徴とする水活性浄化装置。
【請求項７】
請求項３乃至請求項６のいずれかに記載の水活性浄化装置において、セラミックフィルタは容器内に流入通路と流出通路が互いに区画されて設けられ、流入通路内にセラミック支持材が設けられ、流入通路内に水と接触して水を活性化するセラミックが支持材に支持されて収容され、流入通路の出口側はそこから流れ出る水が流出通路に送り込まれるように流出通路に連通されたことを特徴とするセラミックフィルタ。
【請求項８】
請求項３乃至請求項６のいずれかに記載の水活性浄化装置において、ＵＶ装置は外筒内に透明な内筒が設けられ、外筒と内筒の間に水が流れる水通路が形成され、内筒内に水通路内を流れる水に紫外線を照射するＵＶ灯が設けられたことを特徴とするＵＶ装置。
【発明の詳細な説明】
【技術分野】
【０００１】
本発明は超音波洗浄器の洗浄水、メッキ処理用水、純水造水用水、配管系内部のスケール除去及び防止用水等として使用するのに適する水（活性浄化水）を作るための水活性浄化方法と、その方法の実施に使用される水活性浄化装置と、当該装置に使用される水活性化用のセラミックフィルタと、殺菌用ＵＶ装置に関するものである。
【背景技術】
【０００２】
従来、前記した各種用途の浄化水を得るためには、原水（例えば井戸水）、市水（例えば水道水）、純水等（以下、これらをまとめて「被浄化水」という。）を、カーボンフィルタ内を通過させて被浄化水中のぬめり、塩素、他の不純物等（以下、まとめて「塩素類」という。）を除去し、ＵＶランプによって被浄化水に紫外線を照射して水中の微生物や雑菌等（以下、まとめて「雑菌類」という。）を殺菌し、その後に、糸巻きフィルタ内を通過させて死滅した雑菌を捕捉する等していた。上記方法によって得られた浄化水は塩素類や雑菌類が除去されているため、例えばプリント基板の洗浄に使用すると基板に塩素類や雑菌類がほとんど付着せず、プリント基板をきれいに洗浄することができる。また、洗浄装置を長期間使用しても洗浄装置内に塩素類や黴が発生しにくくなる。
【発明の開示】
【発明が解決しようとする課題】
【０００３】
前記浄化方法では被浄化水中の塩素類や雑菌類を除去することはできるが、水の立体分子集団（クラスター）が大きいため、水の分子が活発に自由に動くことができず、洗浄力が不十分であり、乾燥に時間がかかっていた。
【課題を解決するための手段】
【０００４】
本発明は、被浄化水中の塩素類を除去し、雑菌類を死滅させて除去することにより被浄化水を浄化すると共に水のクラスターを小さくして水を活性化させて（水の分子が活発に自由に動けるようにして）洗浄力を高め、乾燥速度の速い活性浄化水を得る水活性浄化方法と、それに使用される水活性浄化装置と、水を活性化するセラミックフィルタと、雑菌類を殺菌するＵＶ装置とを提供するものである。
【０００５】
本件出願の水活性浄化方法は、請求項１記載のように、水を浄化し活性化する流水系路中に、水をセラミックと接触させて活性化させる活性化工程と、水に紫外線を照射して水中の雑菌類を殺菌させる紫外線殺菌工程を備えた方法である。この場合、請求項２記載のように、流水系路中の任意箇所に、塩素類を除去する除去工程と、紫外線殺菌工程で殺菌させた水中の雑菌類を捕捉する捕捉工程の一方又は双方を備えることもできる。
【０００６】
本件出願の水活性浄化装置は、請求項３記載のように、水を浄化し活性化する流水系路中に、水を活性化させるセラミックフィルタと、水に紫外線を照射して水中の雑菌類を殺菌するＵＶ装置を備え、セラミックフィルタは容器内の通水路内にセラミックが多数収容され、ＵＶ装置は通水路が形成され、その通水路に向けて紫外線を照射して通水路を通過する水中の雑菌類を殺菌するＵＶ灯を備えたものである。前記水活性浄化装置には、請求項４記載のように、流水系路中のセラミックフィルタより前方に水中の塩素類を除去する除去フィルタと、ＵＶ装置の後方にＵＶ装置の紫外線照射により殺菌させた水中の雑菌類を捕捉する捕捉フィルタを設けることもできる。また、水活性浄化装置は、請求項５記載のように、除去フィルタを逆浸透膜フィルタとするか、又は除去フィルタに加えて流水系路中の任意箇所に逆浸透膜フィルタを備えることもできる。更に請求項６記載のように、流水経路中の除去フィルタより手前に水中の塵芥を除去する塵芥除去フィルタを備えることもできる。
【０００７】
本件出願のセラミックフィルタは、請求項７記載のように、請求項３乃至請求項６のいずれかに記載の水活性浄化装置において、容器内に流入通路と流出通路が区画されて形成され、流入通路内にセラミック支持材を設け、流入通路内に水と接触して水を活性化する多くのセラミックが支持材に支持されて収容され、流入通路の出口側は流入通路から流れ出る水が流出通路に送り込まれるように流出通路に連通されている。
【０００８】
本件出願のＵＶ装置は、請求項８記載のように、請求項３乃至請求項６のいずれかに記載の水活性浄化装置において、外筒内に透明な内筒が設けられて外筒と内筒の間に水の流れる水通路が形成され、内筒内に前記水通路内を流れる水に紫外線を照射するＵＶ灯が設けられている。
【発明の効果】
【０００９】
本件出願の請求項１記載の水活性浄化方法は次のような効果がある。
（１）水がセラミックと接触してクラスターが小さくなって水の分子が活発に自由に運動可能に活性化された活性浄化水となるため洗浄力が向上する。また、常温での蒸発が速くなって乾燥速度が速くなる。
（２）水に紫外線が照射されて水中の微生物や雑菌等（雑菌類）が殺菌されるので、例えば、プリント基板等を洗浄する場合にプリント基板に雑菌類によるぬめりや黴が発生しにくくなり、プリント基板がきれいに洗浄される。
【００１０】
本件出願の請求項２記載の水活性浄化方法は、請求項１の水活性浄化方法の効果の他に次のような効果もある。
（１）水をセラミックにより活性化させる前に、塩素やぬめりや他の不純物等（塩素類）を除去する除去工程を備えるので水の活性効率が向上する。また、作られる活性浄化水は塩素類が除去されているため、例えばプリント基板を洗浄する場合等に、基板に塩素類が付着することがなく、プリント基板を一層きれいに洗浄することができ、洗浄装置を長期間使用してもぬめりや黴が発生しにくくなる。
（２）紫外線照射により殺菌した水中の雑菌類を捕捉する工程を備えるので、作られる活性浄化水には雑菌類が混入せず、それらが基板に付着することがないため洗浄力が一層高まり、乾燥速度が一層速くなる。
【００１１】
本件出願の請求項３記載の水活性浄化装置は、次のような効果がある。
（１）通水路内にその内部を通過する水をセラミックと接触させて活性化させるセラミックフィルタを備えるので、水のクラスターが小さくなって水が活性化され、得られた活性浄化水は洗浄力に優れ、乾燥速度が速いものとなる。
（２）通水路内を通過する水中の雑菌類を紫外線で殺菌するＵＶ装置を備えるので、得られる活性浄化水内には雑菌類がほとんどいなくなり、洗浄する場合に雑菌類による悪影響が出ず、清浄な洗浄が可能となる。また、洗浄装置を長期間使用しても洗浄装置にぬめりや黴が発生しにくくなる。
【００１２】
本件出願の請求項４記載の水活性浄化装置は、次のような効果がある。
（１）セラミックフィルタより前に、塩素類を除去する除去フィルタを備えるので、水の活性化効率が一層向上する。また、作られる活性浄化水は塩素類がほとんど無いため洗浄効率も向上する。また、洗浄装置を長期間使用しても洗浄装置にぬめりや黴が発生しにくくなる。
（２）ＵＶ装置より後に、紫外線照射により殺菌させた水中の雑菌類を捕捉する捕捉フィルタを備えるので、作られる活性浄化水には雑菌類がほとんど混入せず、洗浄時に被洗浄物に雑菌類が付着することもなく、洗浄力が一層向上し、乾燥速度が速くなる。
【００１３】
本件出願の請求項５記載の水活性浄化装置は、次のような効果がある。
（１）逆浸透膜フィルタを用いるため、通過する水を、基板に馴染み易い軟水に改質させることができ、洗浄効率を一層向上させることができる。
（２）除去フィルタを逆浸透膜フィルタとした場合は、セラミックフィルタによって水を活性化させる前に、塩素類等を概ね除去することができ、セラミックフィルタによる水の活性化効率が向上する。また、作られる活性浄化水は塩素類がほとんど全く無いため、洗浄効率も向上する。また、洗浄装置を長期間使用しても洗浄装置にぬめりや黴が発生しにくくなる。
（３）除去フィルタに加えて流水系路中の任意箇所に逆浸透膜フィルタを備え、逆浸透膜フィルタを流水経路中のセラミックフィルタの後に配置した場合は、セラミックフィルタによって活性化された水が逆浸透膜フィルタを通過するため、通過水量が増えて逆浸透膜フィルタが十分に機能し、塩素類や雑菌類がほとんど混入しない活性浄化水を作ることができる。
【００１４】
本件出願の請求項６記載の水活性浄化装置は、次のような効果がある。
（１）流水経路中の除去フィルタより手前に水中の塵芥を除去する塵芥除去フィルタを備えるので、装置内に流れ込んでくる水から大部分の塵芥を除去できるため、塵芥除去フィルタより先方の除去フィルタ、セラミックフィルタ、ＵＶ装置、捕捉フィルタ、逆浸透膜フィルタ等の各フィルタ及び装置が長持ちするようになる。
（２）除去フィルタ、セラミックフィルタ、ＵＶ装置、捕捉フィルタ、逆浸透膜フィルタ等の各フィルタ及び装置の交換頻度が少なく済むため、ランニングコストを低く抑えることができるようになる。
【００１５】
本件出願の請求項７記載のセラミックフィルタは、次のような効果がある。
（１）流入通路内に多数のセラミックが収容されているため、流入通路内を通過する水がセラミックに接触して水のクラスターが小さくなって水が活性化され、洗浄力に優れ、乾燥速度の速い浄化水となる。
（２）容器内に流入通路と流出通路が互いに区画されて形成され、流入通路の出口側が流出通路に連通して設けられているので、活性化前の水と活性化後の水が混じり合うことがなく活性化した水の活性が希釈化されることもない。
（３）流入通路内にセラミック支持材を設けてあるため、流入通路内を流れる水はセラミック支持材で阻害されて乱流となり、セラミックとの接触時間が長くなって水の活性化が促進される。
【００１６】
本件出願の請求項８記載のＵＶ装置は、次のような効果がある。
（１）外筒の内側に透明の内筒を設けて外筒と内筒の間の空間を水通路とし、水通路内を流れる水に対して内筒内のＵＶ灯から発せられる紫外線を照射可能としたので、紫外線によって水中の雑菌類が殺菌される。例えばプリント基板を洗浄する場合等に、雑菌類によるぬめりや黴の発生がほとんど無く、プリント基板をきれいに洗浄することができる。また、洗浄装置を長期間使用してもぬめりや黴が発生しにくくなる。
（２）ＵＶ灯を透明な内筒内に設けたので、ＵＶ灯に水が付着することなく安全に使用することができる。また、ＵＶ灯から発生される紫外線が３６０度いずれの方向の水にも照射されるため効率の良い殺菌を行うことができる。
【発明を実施するための最良の形態】
【００１７】
（水活性浄化方法の実施形態１）
本発明の水活性浄化方法の実施形態の一例を図１に基づいて説明する。図１の水活性浄化方法は次の（１）〜（４）の工程を備えている。
（１）被浄化水が供給され、浄化されて外部に流出するまでの流水系路に、被浄化水を塩素類除去フィルタ（例えばカーボンフィルタ）３内に導入してその塩素類除去フィルタ３により水中の塩素やぬめりや他の不純物等（塩素類）の大部分を除去する工程。
（２）塩素類が除去された水をセラミックフィルタ４の流入通路２６内に導入して流入通路２６内に収容された多数のボール状のセラミック２７に接触させて、セラミック２７の遠赤外線の効果によりクラスターが小さくなって水の分子が活発に自由に動くように活性化する工程（図２参照。）。
（３）流出通路２８から送り出された水を二つの系路に分流して二つのＵＶ装置５の水通路３７内の夫々に導入し、ＵＶ装置５の内筒３６内のＵＶ灯１７から発生する紫外線を前記水通路３７内を通過する水に照射してその水中の微生物や雑菌等（雑菌類）を殺菌する工程（図３ａｂ参照。）。
（４）二つのＵＶ装置５によって雑菌類を殺菌した水を一つに合流させて死滅雑菌類捕捉フィルタ６（例えば糸巻きフィルタ）内に導入し、死滅雑菌類捕捉フィルタ６によって水中に残る殺菌後の雑菌類を捕捉して除去し、活性浄化水を得る工程。
【００１８】
前記ＵＶ装置５は一つのＵＶ装置５のＵＶ発生量によって一つとしたり三つ以上としたりすることもできる。この水活性浄化方法では必要に応じて図１に示すように流水系路の配管１０〜１４にバルブ４０を設け、それらバルブ４０を開閉或いは開閉量調節して水の流れを停止させたり流量調節したりすることができる。
【００１９】
前記セラミックフィルタ４によって、水のクラスターが小さくなって水の分子が活発に自由に動くように活性化したか否かは、例えば、酸化還元電位（単位：Ｖ）の変化を測定することで判断することができる。酸化還元電位が下がると、水が活性化されていることを確認することができる。また、水の活性化は、他の手段で確認することもできる。
【００２０】
（水活性浄化方法の実施形態２）
本発明の水活性浄化方法では、前記実施形態１の（３）記載のＵＶ装置５による紫外線殺菌工程を、（２）記載のセラミックフィルタ４による水活性化工程より先に行うこともできる。
【００２１】
（水活性浄化方法の実施形態３）
本発明の水活性浄化方法では、前記実施形態１の（１）記載の塩素類除去フィルタ３による塩素類除去工程と、（４）記載の死滅雑菌類捕捉フィルタ６による死滅雑菌類捕捉工程の一方又は双方を省略することもできる。
【００２２】
（水活性浄化方法の実施形態４）
本発明の水活性浄化方法では、前記実施形態１の（１）記載のセラミックによる活性化前の塩素類除去工程において、塩素類除去フィルタ３としてカーボンフィルタを用いる他に、カーボンフィルタに加えて糸巻きフィルタをも設けたり、カーボンフィルタに代えて糸巻きフィルタを使用したりすることもできる。それらフィルタ３は直列に複数設けることもできる。また、（４）記載の死滅雑菌類捕捉工程において、死滅雑菌類捕捉フィルタ６として糸巻きフィルタを使用する他に、糸巻きフィルタに加えてカーボンフィルタをも使用したり、糸巻きフィルタに代えてカーボンフィルタを使用したりすることもできる。それらフィルタ６は複数個設けることもできる。
【００２３】
（水活性浄化方法の実施形態５）
本発明の水活性浄化方法では、前記塩素類除去工程において塩素類除去フィルタ３として用いられるカーボンフィルタに加えて、図５に示すように、セラミックフィルタ４とＵＶ装置５の間の流水系路中に逆浸透膜フィルタ（ＲＯフィルタ）５０を設け、セラミックフィルタ４によって活性化させた水を逆浸透膜フィルタ５０に通過させて、水を軟水に改質するとともに、水中の塩素やぬめりや他の不純物等（塩素類）を殆ど除去できるようにすることもできる。逆浸透膜フィルタ５０の設置位置は、この位置には限られず流水系路中の任意の場所に設置することもできる。また、前記塩素類除去フィルタ３としてカーボンフィルタに代えて逆浸透膜フィルタ５０を使用したりすることもできる。
【００２４】
（水活性浄化方法の実施形態６）
本発明の水活性化方法では、図６に示すように、流水経路中の塩素類除去フィルタ３より手前に、水中の塵芥を除去する塵芥除去フィルタ６０を設け、流れ込んでくる被浄化水を通過させて、大部分の塵芥を除去することができるようにすることもできる。塵芥除去フィルタ６０としては、例えば糸巻きフィルタを用いることができるが、水中の塵芥を除去可能であれば、カーボンフィルタ等他の任意のフィルタを用いることもできる。塵芥除去フィルタ６０を備えることにより、塩素類除去フィルタ３、セラミックフィルタ４、ＵＶ装置５、死滅雑菌類捕捉フィルタ６等の各フィルタ及び装置が長持ちするようになる。また、本実施形態においても、図６に示すように、逆浸透膜フィルタ５０を流水経路中に備えることもできる。
【００２５】
（水活性浄化方法の実施形態７）
ＵＶ装置５の数は前記各実施形態記載のように二つに限られず、水の流量やＵＶ灯１７の強度等により任意の設置数とすることができる。
【００２６】
（水活性浄化方法のその他の実施形態）
本発明の水活性浄化方法では、各工程の順序や、その際に使用する塩素類除去フィルタ３、セラミックフィルタ４、ＵＶ装置５、死滅雑菌類捕捉フィルタ６、逆浸透膜フィルタ５０、塵芥除去フィルタ６０等の各部品の設置位置、設置数、設置順序等は、上記各実施形態に示したものには限られず、目的に応じて任意とすることができる。
【００２７】
（水活性浄化装置の実施形態１）
本発明の水活性浄化装置の実施形態の一例を図１〜図４に基づいて説明する。この水活性浄化装置１は前記した水活性浄化方法の実施に用いる装置であって、図４に示すように、筺体２内に塩素類除去フィルタ３、セラミックフィルタ４、ＵＶ装置５、死滅雑菌類捕捉フィルタ６が収容されている。図４の水活性浄化装置は横幅を狭くするため塩素類除去フィルタ３、セラミックフィルタ４、死滅雑菌類捕捉フィルタ６は筺体２内の仕切り壁７の前に、ＵＶ装置５は仕切り壁７の裏に二つ配置されている。これら器材の配置は筺体２の設置場所にあわせて変更可能である。
【００２８】
前記筺体２の外側には、図４に示すように異常時に電気回路を自動的に遮断するブレーカー１５、夫々の機器を作動・停止させる作動スイッチ１６、ＵＶ装置５内のＵＶ灯１７の寿命（使用積算時間）を報知するための報知ランプ１８、水流系路に流入する水の圧力を計測する流入側圧力計１９、水流系路から流出する水の圧力を計測する流出側圧力計２０を備えている。前記報知ランプ１８はＵＶ灯１７の寿命（通常は使用時間約４０００時間程度）になると点灯するようにしてあり、報知ランプ１８の点灯によってＵＶ灯１７の交換時期を知ることができる。また、前記流入側圧力計１９の圧力値と流出側圧力計２０の圧力差から流水系路にある各種フィルタの詰まり具合を判断することができ、フィルタの手入れや交換時期を知ることができる。筺体２には蓋を脱着或いは開閉可能である。
【００２９】
前記した塩素類除去フィルタ３、セラミックフィルタ４、二本並列配置のＵＶ装置５、死滅雑菌類捕捉フィルタ６はその順序で水流入側から水流出側に配管１０〜１４によって連結されて水流系路が構成されている。各配管１０〜１４にはバルブ４０が設けられており、それらの開閉により水の停止、開放、流量調整等を行なうことができるようにしてある。
【００３０】
塩素類除去フィルタ３は被浄化水に含まれる塩素やぬめりや他の不純物の大部分を除去するものであって、既存の又は新たに開発される任意のカーボンフィルタとか他のフィルタを用いることができる。
【００３１】
セラミックフィルタ４は塩素類が除去された被浄化水を活性化するものであり、例えば図２に示す構造のものを用いることができる。その詳細な構成は後記する。
【００３２】
ＵＶ装置５は、前記セラミックフィルタ４によって活性化された水に含まれる雑菌類に紫外線を照射して殺菌するものであり、例えば、図３（ａ）（ｂ）に示す構造のものを使用することができる。その詳細な構成は後記する。
【００３３】
死滅雑菌類捕捉フィルタ６は前記ＵＶ装置５によって殺菌された死滅雑菌を捕捉して除去するものであり、既存の又は新たに開発される任意の糸巻きフィルタとか他のフィルタを用いることができる。
【００３４】
（水活性浄化装置の実施形態２）
本発明の水活性浄化装置では図１におけるセラミックフィルタ４とＵＶ装置５の配置を入れ替えて、ＵＶ装置５による水中雑菌の殺菌を、セラミックフィルタ４による水の活性化の前に行うこともできる。図１における塩素類除去フィルタ３と死滅雑菌類捕捉フィルタ６の一方又は双方は省略することもできる。塩素類除去フィルタ３は、図１のセラミックフィルタ４の水流方向前方にカーボンフィルタを複数個設けたり、カーボンフィルタに加えて、又はカーボンフィルタに代えて糸巻きフィルタを配置することもできる。また、死滅雑菌類捕捉フィルタ６は、図４のＵＶ装置５の水流方向後方に糸巻きフィルタを複数個設けたり、糸巻きフィルタに加えて又は糸巻きフィルタに代えてカーボンフィルタを備えたりすることもできる。ＵＶ装置５の設置数は二つには限られず水の流量に合わせて任意数設けることができる。
【００３５】
（水活性浄化装置の実施形態３）
本発明の水活性浄化装置では、前記塩素類除去フィルタ３としてのカーボンフィルタに加え、図５に示すように、逆浸透膜フィルタ（ＲＯフィルタ）５０をセラミックフィルタ４とＵＶ装置５の間の流水系路中に備え、セラミックフィルタ４によって活性化させた水を逆浸透膜フィルタ５０に通過させて、水を軟水に改質するとともに、水中の塩素やぬめりや他の不純物等（塩素類）を殆ど全て除去できるようにすることもできる。前記逆浸透膜フィルタの設置位置は、これには限られず、流水系路中の任意の場所に設置することもできる。また、前記塩素類除去フィルタ３としてカーボンフィルタに代えて逆浸透膜フィルタを使用することもできる。
【００３６】
（水活性浄化装置の実施形態４）
本発明の水活性化装置では、前記塩素類除去フィルタ３としてのカーボンフィルタに加え、図６に示すように、流水経路中の塩素類除去フィルタ３より手前に、水中の塵芥を除去する塵芥除去フィルタ６０を設け、流れ込んでくる被浄化水を通過させて、大部分の塵芥を除去することができるようにすることもできる。塵芥除去フィルタ６０としては、例えば糸巻きフィルタを用いることができるが、水中の塵芥を除去可能であれば、カーボンフィルタ等他の任意のフィルタを用いることもできる。この位置に塵芥除去フィルタ６０を備えることにより、流水経路中先方の塩素類除去フィルタ３、セラミックフィルタ４、ＵＶ装置５、死滅雑菌類捕捉フィルタ６等の各フィルタ及び装置が長持ちするようになる。また、本実施形態においても、図６に示すように、逆浸透膜フィルタ５０を流水経路中に備えることもできる。
【００３７】
（水活性浄化装置の実施形態５）
本発明の水活性浄化装置では、前記セラミックフィルタ４によって、水のクラスターが小さくなって水の分子が活発に自由に動くように活性化したか否かを測定するための酸化還元電位測定器を備えることもできる。
【００３８】
（水活性浄化装置のその他の実施形態）
本発明の水活性浄化装置では、塩素類除去フィルタ３、セラミックフィルタ４、ＵＶ装置５、死滅雑菌類捕捉フィルタ６、逆浸透膜フィルタ５０、塵芥除去フィルタ６０等の各部品の設置位置、設置数、設置順序等は、上記各実施形態に示したものには限られず、目的に応じて任意とすることができる。
【００３９】
（セラミックフィルタの実施形態１）
本発明のセラミックフィルタの実施形態の一例を図２に基づいて説明する。このセラミックフィルタ４は上方開口の容器２１内の中心部に排出管２２が縦向きに配置され、その外周に流入通路２６が形成されており、排出管２２の下端周壁に開口されている複数の連通口２９と流入通路２６が連通している。また、容器２１の上に蓋３２をネジ嵌合すると、蓋３２にＬ字状に形成されて蓋３２の側面に開口している排出口３１の下端が前記排出管２２の上部に連通し、蓋３２に形成されてその側面に開口している流入口３０の下端が前記流入通路２６に開口連通するようにしてある。
【００４０】
前記容器２１内の流入通路２６内にあって排出管２２の下端寄り位置の外周には通水孔２３が多数開口された仕切り板２４が水平に設けられ、排出管２２の上部外周に螺旋状の支持板２５が螺旋状に設けられており、流入通路２６内には多数のボール状のセラミック２７が収容されている。セラミック２７は仕切り板２４の下と上、支持板２５の下と上に充填されている。
【００４１】
セラミック２７は球（ボール）状に形成されており、遠赤外線エネルギー放射によって水の立体分子集団（クラスター）を小さくして水の分子を活発に自由に運動できるようにする（活性化する）ものである。一例として図２に示すものは、容器２１の下方に径の小さなものを、上方に次第に大きなものを収容してあるが、セラミック２７の形状、粒径、収容配列等は任意とすることができ、形状、大きさが同じものを使用することも、異なるものを混合して使用することもできる。いずれの場合も、水との接触面積が大きいものが望ましい。
【００４２】
図２のセラミックフィルタでは、外部から蓋３２の流入口３０に送り込まれた水は流入通路２６内を下方に流れて、排出管２２の連通口２９から排出管２２内に流入し、排出管２２内を上って蓋３２の排出口３１に流れ込んでその出口から外部に排出される。この間に水は流入通路２６内のセラミック２７に接触して活性化されるようにしてある。この場合、流入通路２６内を流れる水は流入通路２６内の螺旋状の支持板２５に阻害されて乱流となり、流入通路２６内のセラミック２７に接触する時間が長くなって効率よく活性化される。
【００４３】
（セラミックフィルタの実施形態２）
このセラミックフィルタ４の構造は前記以外であってもよく、支持板を螺旋状の板ではなく、複数枚の平板とすることもできる。要は、水との接触時間が長くなる形状、構造のものが好ましい。
【００４４】
（ＵＶ装置の実施形態１）
本発明のＵＶ装置５の実施形態の一例を図３（ａ）（ｂ）に基づいて説明する。このＵＶ装置５は外筒３５の内側に透明の内筒３６が同軸状に二重に形成され、外筒３５と内筒３６の間の空間を水通路３７とし、内筒３６内にＵＶ灯１７を設けてある。内筒３６は、樹脂、ガラス等の透光性のある透明な部材によって形成されている。このＵＶ装置５ではＵＶ灯１７が内筒３６内に配置されているので、ＵＶ灯１７に水が付着することなく、ＵＶ灯１７から発生される紫外線は３６０度全方向に照射され、水通路３７を流れる水に対して紫外線を確実に照射可能として、水通路３７を通過する水に含まれる微生物や雑菌等（雑菌類）に紫外線が洩れなく照射されるようにしてある。
【００４５】
（使用例）
図１〜図４に示す水活性浄化装置１を使用して、例えば水道水から塩素類を除去し、更にその水を活性化させて高い洗浄力及び乾燥速度の速い活性浄化水とするには次のようにする。
（１）水道水が配管１０を通して塩素類除去フィルタ３内へ導入される。
（２）塩素類除去フィルタ３内へ導入された水は、水中の塩素類の大部分が除去されて配管１１へ送られる。
（３）配管１１内の水はセラミックフィルタ４の流入通路２６内へ送られ、流入通路２６内の多数のセラミック２７と接触して活性化されながら流入通路２６内を下方へ流れる。
（４）活性化された水は仕切り板２４の通水孔２３を通過し、連通口２９から排出管２２内に入り、排出管２２内を上って配管１２へ送り出される。
（５）配管１２は途中で二股に分岐されており、セラミックフィルタ４から送り出された水は二つに分流されて二本のＵＶ装置５の水通路３７内へ導入される。
（６）水通路３７内に導入された水はＵＶ灯１７から発生する紫外線によって雑菌や微生物等が殺菌されて配管１３へ導出される。
（７）配管１３は途中で一本に合流されており、二本のＵＶ装置５から導出された水は一つに合流されて死滅雑菌類捕捉フィルタ６に導入される。
（８）死滅雑菌類捕捉フィルタ６内で、紫外線で殺菌された雑菌類が捕捉されて除去されて配管１４から装置外へ送り出される。
【００４６】
この水活性浄化装置１によって浄化及び活性化される被浄化水は水道水の他に純水とか他の任意の水とすることができる。
【産業上の利用可能性】
【００４７】
本発明の水活性浄化方法、その実施に用いる水活性浄化装置、同装置用セラミックフィルタ及びＵＶ装置は、フィルム基板等の電子部品の洗浄用の活性浄化水の製造には限られず、飲用や洗髪・洗体・入浴用の活性浄化水、超音波洗浄器の洗浄水、メッキ処理用水、純水造水用水、配管系内部のスケール除去及び防止用水等の様々な用途の活性浄化水の製造にも応用することができる。
【図面の簡単な説明】
【００４８】
【図１】本発明の水活性浄化方法の実施に用いる水活性浄化装置の構成を示すブロック図。
【図２】本発明のセラミックフィルタを示す部分断面説明図。
【図３】（ａ）（ｂ）は、本発明のＵＶ装置を示す説明図。（ａ）は斜視説明図、（ｂ）は（ａ）に示すＵＶ装置の平面説明図。
【図４】本発明の水活性浄化装置を示す正面説明図。
【図５】本発明の水活性浄化方法の実施に用いる水活性浄化装置の他の例の構成を示すブロック図。
【図６】本発明の水活性浄化方法の実施に用いる水活性浄化装置の他の例の構成を示すブロック図。
【符号の説明】
【００４９】
１  水活性浄化装置
２  筺体
３  塩素類除去フィルタ
４  セラミックフィルタ
５  ＵＶ装置
６  死滅雑菌類捕捉フィルタ
１５  ブレーカー
１６  作動スイッチ
１７  ＵＶ灯
１８  報知ランプ
１９  流入側圧力計
２０  流出側圧力計
２１  容器
２２  排出管
２３  通水孔
２４  仕切り板
２５  支持板
２６  流入通路
２７  セラミック
２８  流出通路
２９  連通口
３０  流入口
３１  流出口
３２  蓋
３５  外筒
３６  内筒
３７  水通路
５０  逆浸透膜フィルタ
６０  塵芥除去フィルタ
【図１】
2008049331.tif 000003
【図２】
2008049331.tif 000004
【図３】
2008049331.tif 000005
【図４】
2008049331.tif 000006
【図５】
2008049331.tif 000007
【図６】
2008049331.tif 000008